(57)【特許請求の範囲】
【請求項１】
撮像素子を用いて第１の画像データを生成する撮像手段と、
第２の画像データの画質が第３の画像データの画質よりもフラットな画質になるように、前記第１の画像データから前記第２の画像データを生成する画像処理手段と、
前記第２の画像データの画質を調整することにより、前記第２の画像データから前記第３の画像データを生成する画質調整手段と、
前記第２の画像データを記録媒体に記録するための処理を行う記録制御手段と、
第１の条件が満たされていない場合は、前記第２の画像データに対応する画像を表示デバイスに表示させるための処理を行い、前記第１の条件が満たされている場合は、前記第３の画像データに対応する画像を前記第２の画像データに対応する画像の代わりに前記表示デバイスに表示させるための処理を行う表示制御手段と、
第２の条件が満たされていない場合は、前記第３の画像データを外部装置に出力し、前記第２の条件が満たされている場合は、前記第３の画像データを前記第２の画像データの代わりに前記外部装置に出力する出力手段と
を有することを特徴とする撮像装置。
【請求項２】
前記第２の条件は、前記第１の条件と異なる条件であることを特徴とする請求項１に記載の撮像装置。
【請求項３】
前記第２の条件は、前記第１の条件と同じ条件であることを特徴とする請求項１に記載の撮像装置。
【請求項４】
前記第２の条件は、ユーザによる設定が可能な条件であることを特徴とする請求項１から３のいずれか１項に記載の撮像装置。
【請求項５】
第３の条件が満たされていない場合は、前記第３の画像データを第２の外部装置に出力し、前記第３の条件が満たされている場合は、前記第３の画像データを前記第２の画像データの代わりに前記第２の外部装置に出力する第２の出力手段をさらに有することを特徴とする請求項１から４のいずれか１項に記載の撮像装置。
【請求項６】
前記第３の条件は、前記第１の条件と異なる条件であることを特徴とする請求項５に記載の撮像装置。
【請求項７】
前記第３の条件は、前記第１の条件と同じ条件であることを特徴とする請求項５に記載の撮像装置。
【請求項８】
前記第３の条件は、ユーザによる設定が可能な条件であることを特徴とする請求項５から７のいずれか１項に記載の撮像装置。
【請求項９】
前記第１の条件は、ユーザによる設定が可能な条件であることを特徴とする請求項１から８のいずれか１項に記載の撮像装置。
【請求項１０】
前記第１の画像データは、ＲＡＷ画像データであることを特徴とする請求項１から９のいずれか１項に記載の撮像装置。
【請求項１１】
前記第２の画像データの画質は、コントラストが抑えられた画質であることを特徴とする請求項１から１０のいずれか１項に記載の撮像装置。
【請求項１２】
前記第２の画像データの画質は、シャープネスが抑えられた画質であることを特徴とする請求項１から１１のいずれか１項に記載の撮像装置。
【請求項１３】
前記第２の画像データの画質は、広いダイナミックレンジを有する画質であることを特徴とする請求項１から１２のいずれか１項に記載の撮像装置。
【請求項１４】
コンピュータを、
撮像素子を用いて第１の画像データを生成する撮像手段と、
第２の画像データの画質が第３の画像データの画質よりもフラットな画質になるように、前記第１の画像データから前記第２の画像データを生成する画像処理手段と、
前記第２の画像データの画質を調整することにより、前記第２の画像データから前記第３の画像データを生成する画質調整手段と、
前記第２の画像データを記録媒体に記録するための処理を行う記録制御手段と、
第１の条件が満たされていない場合は、前記第２の画像データに対応する画像を表示デバイスに表示させるための処理を行い、前記第１の条件が満たされている場合は、前記第３の画像データに対応する画像を前記第２の画像データに対応する画像の代わりに前記表示デバイスに表示させるための処理を行う表示制御手段と、
第２の条件が満たされていない場合は、前記第３の画像データを外部装置に出力し、前記第２の条件が満たされている場合は、前記第３の画像データを前記第２の画像データの代わりに前記外部装置に出力する出力手段
として機能させるためのプログラム。
【発明の詳細な説明】
【技術分野】
【０００１】
本発明は、複数の異なる画質の画像データを生成することができる撮像装置等に関する。
【背景技術】
【０００２】
特許文献１には、小型の表示デバイスを有する撮像装置において、複数の異なる画質の画像データを生成することができることが記載されている。
【先行技術文献】
【特許文献】
【０００３】
【特許文献１】特開２００７−１５１１８９号公報
【発明の概要】
【発明が解決しようとする課題】
【０００４】
現在、業務用の撮像装置には、動画編集装置で行われる様々な画像処理（ポストプロセス）に適した画質の動画データを生成できるようにしてほしいという要求がある。このような要求に応える方法として、広いダイナミックレンジを有し、コントラストとシャープネスとが抑えられたフラットな画質の画像データを生成し、当該画像データから動画データを生成する方法がある。以下、広いダイナミックレンジを有し、コントラストとシャープネスとが抑えられたフラットな画質の画像データを「フラットな画質の画像データ」と呼ぶ。
【０００５】
しかしながら、フラットな画質の画像データは、動画編集装置で行われる様々な画像処理（ポストプロセス）には適しているが、コントラストとシャープネスとが抑えられたフラットな画質として見えるため、観賞には適していないという問題がある。このような問題は、フラットな画質の画像データを、撮像装置の表示デバイス及び外部装置の表示デバイスのいずれで観賞する場合にも生ずる問題である。
【０００６】
また、撮像装置内で生成されたフラットな画質の画像データを撮像装置の表示デバイスに表示するシステムでは、当該画像データに所定のポストプロセスが適用された後に当該画像データの画質がどのような画質に変化してしまうのかがわからないという問題がある。このような問題は、撮像装置がフラットな画質の画像データを生成している間、当該画像データに対応する画像を外部装置の表示デバイスに表示するシステムでも生ずる問題である。
【０００７】
また、所定のポストプロセスが適用される前の画像データだけが撮像装置或いは外部装置の表示デバイスに表示されるシステムでは、所定のポストプロセスが適用された後の画像データを動画撮影モード中に観賞できないという問題もある。このような問題は、動画撮影モード中に、撮像装置がフラットな画質の画像データを生成する場合に生じる。
【０００８】
また、所定のポストプロセスが適用された後の画像データだけが撮像装置或いは外部装置の表示デバイスに表示されるシステムでは、所定のポストプロセスが適用される前の画像データを動画撮影モード中に観賞できないという問題もある。このような問題は、動画撮影モード中に、撮像装置がフラットな画質の画像データを生成する場合に生じる。
【０００９】
そこで、本発明は、所定のポストプロセスに適したフラットな画質の画像データの代わりに、所定のポストプロセスが適用された後の画質の画像データを外部装置の表示デバイスに表示できるようにすることを目的とする。
【００１０】
また、本発明は、所定のポストプロセスに適したフラットな画質の画像データの代わりに、所定のポストプロセスが適用された後の画質の画像データを撮像装置から外部出力できるようにすることを目的とする。
【００１１】
また、本発明は、撮像装置の表示デバイス及び外部装置の表示デバイスの少なくとも一つが、所定のポストプロセスが適用された後の画質の画像データを表示できるようにすることを目的とする。
【００１２】
また、本発明は、複数の外部出力部の少なくとも一つが、所定のポストプロセスが適用された後の画質の画像データを撮像装置から外部出力する外部出力部として選択できるようにすることを目的とする。
【課題を解決するための手段】
【００１３】
本発明に係る撮像装置は、撮像素子を用いて第１の画像データを生成する撮像手段と、第２の画像データの画質が第３の画像データの画質よりもフラットな画質になるように、前記第１の画像データから前記第２の画像データを生成する画像処理手段と、前記第２の画像データの画質を調整することにより、前記第２の画像データから前記第３の画像データを生成する画質調整手段と、前記第２の画像データを記録媒体に記録するための処理を行う記録制御手段と、第１の条件が満たされていない場合は、前記第２の画像データに対応する画像を表示デバイスに表示させるための処理を行い、前記第１の条件が満たされている場合は、前記第３の画像データに対応する画像を前記第２の画像データに対応する画像の代わりに前記表示デバイスに表示させるための処理を行う表示制御手段と、第２の条件が満たされていない場合は、前記第３の画像データを外部装置に出力し、前記第２の条件が満たされている場合は、前記第３の画像データを前記第２の画像データの代わりに前記外部装置に出力する出力手段とを有することを特徴とする撮像装置である。
本発明に係るプログラムは、コンピュータを、撮像素子を用いて第１の画像データを生成する撮像手段と、第２の画像データの画質が第３の画像データの画質よりもフラットな画質になるように、前記第１の画像データから前記第２の画像データを生成する画像処理手段と、前記第２の画像データの画質を調整することにより、前記第２の画像データから前記第３の画像データを生成する画質調整手段と、前記第２の画像データを記録媒体に記録するための処理を行う記録制御手段と、第１の条件が満たされていない場合は、前記第２の画像データに対応する画像を表示デバイスに表示させるための処理を行い、前記第１の条件が満たされている場合は、前記第３の画像データに対応する画像を前記第２の画像データに対応する画像の代わりに前記表示デバイスに表示させるための処理を行う表示制御手段と、第２の条件が満たされていない場合は、前記第３の画像データを外部装置に出力し、前記第２の条件が満たされている場合は、前記第３の画像データを前記第２の画像データの代わりに前記外部装置に出力する出力手段として機能させるためのプログラムである。
【発明の効果】
【００１４】
本発明によれば、所定のポストプロセスに適したフラットな画質の画像データの代わりに、所定のポストプロセスが適用された後の画質の画像データを外部装置の表示デバイスに表示することができる。
【００１５】
また、本発明によれば、所定のポストプロセスに適したフラットな画質の画像データの代わりに、所定のポストプロセスが適用された後の画質の画像データを撮像装置から外部出力することができる。
【００１６】
また、本発明によれば、撮像装置の表示デバイス及び外部装置の表示デバイスの少なくとも一つが、所定のポストプロセスが適用された後の画質の画像データを表示することができる。
【００１７】
また、本発明によれば、本発明は、複数の外部出力部の少なくとも一つが、所定のポストプロセスが適用された後の画質の画像データを撮像装置から外部出力する外部出力部として選択することができる。
【図面の簡単な説明】
【００１８】
【図１】本発明の実施形態１に係る撮像装置１００が有する構成要素を説明するためのブロック図である。
【図２】本発明の実施形態１に係る撮像装置１００で行われる動画撮影処理Ａ１を説明するためのフローチャートである。
【図３】本発明の実施形態１に係る撮像装置１００で行われる動画記録処理Ｂ１を説明するためのフローチャートである。
【図４】本発明の実施形態１に係る撮像装置１００で行われる動画表示処理Ｃ１を説明するためのフローチャートである。
【図５】本発明の実施形態１に係る撮像装置１００で行われる動画出力処理Ｄ１を説明するためのフローチャートである。
【図６】本発明の実施形態１に係る撮像装置１００が有する設定メニューの一例を説明するための図である。
【図７】本発明の実施形態１に係る撮像装置１００で行われる動画出力処理Ｄ２を説明するためのフローチャートである。
【発明を実施するための形態】
【００１９】
以下、図面を参照して本発明の実施形態を説明するが、本発明の実施形態は以下の実施形態に限定されるものではない。
【００２０】
［実施形態１］
まず、図１を参照して、本発明の実施形態１に係る撮像装置１００が有する構成要素を説明する。図１は、本発明の実施形態１に係る撮像装置１００が有する構成要素を説明するためのブロック図である。
【００２１】
撮像装置１００は、デジタルカメラとして動作する装置であればどのような装置であってもよい。したがって、撮像装置１００は、カメラ付き携帯電話として動作する装置であってもよい。また、撮像装置１００は、カメラ付きコンピュータとして動作する装置であってもよい。
【００２２】
撮像装置１００は、撮像部１０１、レンズユニット１０１ａ、第１の画像処理部１０２、第２の画像処理部１０３、画質調整部１０４、記録制御部１０５、表示制御部１０６及び表示デバイス１０７を有する。
【００２３】
撮像装置１００はさらに、ＨＤＭＩ制御部１０８、ＨＤＭＩコネクタ１０８ａ、ＵＳＢ制御部１０９、ＵＳＢコネクタ１０９ａ、ＣＰＵ１１１、メモリＡ１１０、ＵＩ部１１２、メモリＢ１１３及び内部バス１１４を有する。
【００２４】
撮像装置１００はさらに、パワースイッチ１１２ａ、動画撮影モードボタン１１２ｂ、スタート／ストップボタン１１２ｃ、メニューボタン１１２ｄ、十字ボタン１１２ｅ、セットボタン１１２ｆ及び情報表示ボタン１１２ｇを有する。
【００２５】
撮像部１０１は、所定の時間Ｔ１ごとにレンズユニット１０１ａを介して光学像を取り込む撮像素子と、所定の時間Ｔ１ごとに撮像素子によって取り込まれた光学像から所定形式の画像データを生成する画像データ生成部とを有する。これにより、撮像部１０１は、連続した２つ以上の画像データを生成することができる。以下、撮像部１０１で生成される画像データを「ＲＡＷ画像データ」と呼ぶ。撮像部１０１で生成された各ＲＡＷ画像データは、撮像部１０１から第１の画像処理部１０２及び第２の画像処理部１０３のそれぞれに供給される。撮像部１０１から第１の画像処理部１０２及び第２の画像処理部１０３のそれぞれに供給されるＲＡＷ画像データの画像サイズ（或いは、水平及び垂直解像度）は例えば「４０９６×２１６０」以上である。所定の時間Ｔ１は、１／２４秒、１／２５秒、１／３０秒、１／５０秒、１／６０秒、１／１２０秒などのいずれであってもよい。なお、レンズユニット１０１ａは、撮像部１０１から取り外し可能に構成してもよい。
【００２６】
第１の画像処理部１０２は、現像処理を含む様々な画像処理を行うことができる。第１の画像処理部１０２は、撮像部１０１から供給される各ＲＡＷ画像データを、画像処理パラメータ情報ＧＰ１を用いて処理する。画像処理パラメータ情報ＧＰ１は、ユーザによって設定可能な様々なパラメータを含む。例えば、画像処理パラメータ情報ＧＰ１には、ホワイトバランス、色補間、色補正、ガンマ変換、エッジ強調、解像度等に関するパラメータが含まれている。画像処理パラメータ情報ＧＰ１の初期設定は、標準的な画質の画像データを生成するように設定されている。以下、第１の画像処理部１０２が画像処理パラメータ情報ＧＰ１を用いてＲＡＷ画像データを処理することによって生成される画像データを「スタンダード画質の画像データ」と呼ぶ。スタンダード画質の画像データは、例えば、ＩＴＵ−Ｒ  ＢＴ．７０９に準拠した画像に見えるように処理された画像データである。
【００２７】
第１の画像処理部１０２で生成されたスタンダード画質の画像データは、第１の画像処理部１０２から記録制御部１０５、表示制御部１０６、ＨＤＭＩ制御部１０８及びＵＳＢ制御部１０９のそれぞれに供給される。
【００２８】
ここで、第１の画像処理部１０２から記録制御部１０５に供給されるスタンダード画質の画像データの画像サイズ（或いは、水平及び垂直解像度）は例えば「４０９６×２１６０」、「１９２０×１０８０」及び「１２８０×７２０」のいずれかである。
【００２９】
また、第１の画像処理部１０２から表示制御部１０６に供給されるスタンダード画質の画像データの画像サイズ（或いは、水平及び垂直解像度）は例えば「７２０×４８０」のいずれかである。
【００３０】
また、第１の画像処理部１０２からＨＤＭＩ制御部１０８に供給されるスタンダード画質の画像データの画像サイズ（或いは、水平及び垂直解像度）は例えば「１９２０×１０８０」、「１２８０×７２０」及び「６４０×４８０」のいずれかである。
【００３１】
また、第１の画像処理部１０２からＵＳＢ制御部１０９に供給されるスタンダード画質の画像データの画像サイズ（或いは、水平及び垂直解像度）は例えば「１９２０×１０８０」、「１２８０×７２０」及び「６４０×４８０」のいずれかである。
【００３２】
第２の画像処理部１０３は、現像処理を含む様々な画像処理を行うことができる。第２の画像処理部１０３は、撮像部１０１から供給される各ＲＡＷ画像データを画像処理パラメータ情報ＧＰ２を用いて処理することにより、各ＲＡＷ画像データをフラットな画質の画像データに変換する。画像処理パラメータ情報ＧＰ２には、フラットな画質の画像データを生成するための様々なパラメータが含まれている。例えば、画像処理パラメータ情報ＧＰ２には、ホワイトバランス、色補間、色補正、ガンマ変換、エッジ強調、解像度等に関するパラメータが含まれている。フラットな画質の画像データは、上述のように、広いダイナミックレンジを有し、コントラストとシャープネスとが抑えられた画質を有する。フラットな画質の画像データは、上述のように、動画編集装置で行われる様々な画像処理（ポストプロセス）に適している。
【００３３】
第２の画像処理部１０３で生成されたフラットな画質の画像データは、第２の画像処理部１０３から画質調整部１０４、記録制御部１０５、表示制御部１０６、ＨＤＭＩ制御部１０８及びＵＳＢ制御部１０９のそれぞれに供給される。なお、第１の画像処理部１０２及び第２の画像処理部１０３は、２つの異なる画像処理部として構成しても、一つの画像処理部として構成してもよい。
【００３４】
ここで、第２の画像処理部１０３から記録制御部１０５に供給されるフラットな画質の画像データの画像サイズ（或いは、水平及び垂直解像度）は例えば「４０９６×２１６０」、「１９２０×１０８０」及び「１２８０×７２０」のいずれかである。
【００３５】
また、第２の画像処理部１０３から画質調整部１０４に供給されるフラットな画質の画像データの画像サイズ（或いは、水平及び垂直解像度）は例えば「１９２０×１０８０」、「１２８０×７２０」及び「６４０×４８０」のいずれかである。
【００３６】
また、第２の画像処理部１０３から表示制御部１０６に供給されるフラットな画質の画像データの画像サイズ（或いは、水平及び垂直解像度）は例えば「７２０×４８０」のいずれかである。
【００３７】
また、第２の画像処理部１０３からＨＤＭＩ制御部１０８に供給されるフラットな画質の画像データの画像サイズ（或いは、水平及び垂直解像度）は例えば「１９２０×１０８０」、「１２８０×７２０」及び「６４０×４８０」のいずれかである。
【００３８】
また、第２の画像処理部１０３からＵＳＢ制御部１０９に供給されるフラットな画質の画像データの画像サイズ（或いは、水平及び垂直解像度）は例えば「１９２０×１０８０」、「１２８０×７２０」及び「６４０×４８０」のいずれかである。
【００３９】
画質調整部１０４は、第２の画像処理部１０３から供給される各画像データの画質が所定の画質になるように調整することができる。ここで、所定の画質とは、フラットな画質の画像データに所定のポストプロセスが適用された後の画質である。例えば、所定のポストプロセスがメリハリのある画質を生成するための画像処理である場合、所定の画質は、メリハリのある画質となる。また、例えば、所定の画質は、第１の画像処理部１０２で生成される画像データの画質と同じようになるように決定されるものでもよい。以下、画質調整部１０４で所定の画質になるように調整された画像データを「画質調整済みの画像データ」と呼ぶ。実施形態１では、画質調整済みの画像データが、例えば、ＩＴＵ−Ｒ  ＢＴ．７０９に準拠した画像に見えるように調整された画像データである場合を説明する。
【００４０】
なお、所定のポストプロセスは、ユーザが複数のポストプロセスの中から選択できるようにすることもできる。この場合、ＣＰＵ１１１は、ユーザによって選択されたポストプロセスに対応する画質を示す情報を画質調整部１０４に送信する。この情報を受信した画質調整部１０４は、第２の画像処理部１０３から供給される各画像データの画質がユーザによって選択されたポストプロセスに対応する画質になるように調整する。
【００４１】
画質調整部１０４で生成された画質調整済みの画像データは、画質調整部１０４から表示制御部１０６、ＨＤＭＩ制御部１０８及びＵＳＢ制御部１０９のそれぞれに供給される。
【００４２】
画質調整部１０４からＨＤＭＩ制御部１０８に供給される画質調整済みの画像データの画像サイズ（或いは、水平及び垂直解像度）は例えば「１９２０×１０８０」、「１２８０×７２０」及び「６４０×４８０」のいずれかである。
【００４３】
また、画質調整部１０４からＵＳＢ制御部１０９に供給される画質調整済みの画像データの画像サイズ（或いは、水平及び垂直解像度）は例えば「１９２０×１０８０」、「１２８０×７２０」及び「６４０×４８０」のいずれかである。
【００４４】
記憶デバイス１０５ａは、フラッシュメモリ、メモリカード、ハードディスク装置などを有する記憶デバイスであって、記録媒体として動作する。記憶デバイス１０５ａは、撮像装置１００から取り外し可能な記憶デバイスであっても、撮像装置１００に内蔵された記憶デバイスであってもよい。
【００４５】
記録制御部１０５は、第１の画像処理部１０２から供給される各画像データを動画データとして記憶デバイス１０５ａに記録するための第１の機能を有する。この第１の機能により、記録制御部１０５は、スタンダード画質の画像データを動画データとして記憶デバイス１０５ａに記録することができる。
【００４６】
また、記録制御部１０５は、第２の画像処理部１０３から供給される各画像データを動画データとして記憶デバイス１０５ａに記録するための第２の機能を有する。この第２の機能により、記録制御部１０５は、フラットな画質の画像データを動画データとして記憶デバイス１０５ａに記録することができる。
【００４７】
また、記録制御部１０５は、ユーザによって指定された動画データを記憶デバイス１０５ａから読み出すための第３の機能を有する。記憶デバイス１０５ａから読み出された動画データに含まれる各画像データは、記録制御部１０５から表示制御部１０６に供給され、表示デバイス１０７に表示される。
【００４８】
表示制御部１０６は、第１の画像処理部１０２から供給される各画像データに対応する画像を表示デバイス１０７に表示させるための第１の機能を有する。この第１の機能により、表示制御部１０６は、スタンダード画質の画像データに対応する画像を表示デバイス１０７に表示させることができる。
【００４９】
また、表示制御部１０６は、第２の画像処理部１０３から供給される各画像データに対応する画像を表示デバイス１０７に表示させるための第２の機能を有する。この第２の機能により、表示制御部１０６は、フラットな画質の画像データに対応する画像を表示デバイス１０７に表示させることができる。
【００５０】
また、表示制御部１０６は、画質調整部１０４から供給される各画像データに対応する画像を表示デバイス１０７に表示させるための第３の機能を有する。この第３の機能により、表示制御部１０６は、画質調整済みの画像データに対応する画像を表示デバイス１０７に表示させることができる。
【００５１】
表示デバイス１０７は、液晶表示デバイス等を有する。表示デバイス１０７は、撮像装置１００から取り外し可能に構成してもよい。
【００５２】
ＨＤＭＩ制御部１０８は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠した外部出力部として動作する。ＨＤＭＩ制御部１０８は、少なくとも一つのＨＤＭＩコネクタ１０８ａを有する。
【００５３】
また、ＨＤＭＩ制御部１０８は、第１の画像処理部１０２から供給される各画像データを動画データとして外部装置ＥＸ１に出力するための第１の機能を有する。この第１の機能により、ＨＤＭＩ制御部１０８は、スタンダード画質の画像データを外部装置ＥＸ１に送信することができる。
【００５４】
また、ＨＤＭＩ制御部１０８は、第２の画像処理部１０３から供給される各画像データを動画データとして外部装置ＥＸ１に出力するための第２の機能を有する。この第２の機能により、ＨＤＭＩ制御部１０８は、フラットな画質の画像データを外部装置ＥＸ１に送信することができる。
【００５５】
また、ＨＤＭＩ制御部１０８は、画質調整部１０４から供給される各画像データを動画データとして外部装置ＥＸ１に出力するための第３の機能を有する。この第３の機能により、ＨＤＭＩ制御部１０８は、画質調整済みの画像データを外部装置ＥＸ１に送信することができる。
【００５６】
ＵＳＢ制御部１０９は、ＵＳＢ（Ｕｎｖｅｒｓａｌ  Ｓｅｒｉａｌ  Ｂｕｓ）規格に準拠した外部出力部として動作する。ＵＳＢ規格には、ＵＳＢ２．０、ＵＳＢ３．０などが知られている。ＵＳＢ制御部１０９は、少なくとも一つのＵＳＢコネクタ１０９ａを有する。
【００５７】
また、ＵＳＢ制御部１０９は、第１の画像処理部１０２から供給される各画像データを動画データとして外部装置ＥＸ２に出力するための第１の機能を有する。この第１の機能により、ＵＳＢ制御部１０９は、スタンダード画質の画像データを外部装置ＥＸ２に送信することができる。
【００５８】
また、ＵＳＢ制御部１０９は、第２の画像処理部１０３から供給される各画像データを動画データとして外部装置ＥＸ２に出力するための第２の機能を有する。この第２の機能により、ＵＳＢ制御部１０９は、フラットな画質の画像データを外部装置ＥＸ２に送信することができる。
【００５９】
また、ＵＳＢ制御部１０９は、画質調整部１０４から供給される各画像データを動画データとして外部装置ＥＸ２に出力するための第３の機能を有する。この第３の機能により、ＵＳＢ制御部１０９は、画質調整済みの画像データを外部装置ＥＸ２に送信することができる。
【００６０】
メモリＡ１１０には、ＣＰＵ１１１によって実行される複数のプログラムが記憶されている。メモリＡ１１０に記憶されている複数のプログラムには、後述するプログラムＰｇ１〜Ｐｇ５も含まれている。
【００６１】
ＣＰＵ（Ｃｅｎｔｒａｌ  Ｐｒｏｃｅｓｓｉｎｇ  Ｕｎｉｔ）１１１は、メモリＡ１１０に格納されている複数のプログラムを用いて、撮像装置１００を制御するためのプロセッサを有する。撮像部１０１、レンズユニット１０１ａ、第１の画像処理部１０２、第２の画像処理部１０３、画質調整部１０４、記録制御部１０５、表示制御部１０６及び表示デバイス１０７は、ＣＰＵ１１１によって制御される。ＨＤＭＩ制御部１０８、ＨＤＭＩコネクタ１０８ａ、ＵＳＢ制御部１０９、ＵＳＢコネクタ１０９ａ、メモリＡ１１０、ＵＩ部１１２及びメモリＢ１１３も、ＣＰＵ１１１によって制御される。
【００６２】
ＵＩ（ユーザインタフェース）部１１２は、ユーザからの様々な指示をＣＰＵ１１１に入力するための指示入力部として動作する。ＵＩ部１１２は、ユーザからの様々な指示を入力するためのスイッチ、ボタン、タッチパネル等を有する。パワースイッチ１１２ａ、動画撮影モードボタン１１２ｂ、スタート／ストップボタン１１２ｃ、メニューボタン１１２ｄ、十字ボタン１１２ｅ、セットボタン１１２ｆ及び情報表示ボタン１１２ｇは、ＵＩ部１１２に含まれる。
【００６３】
パワースイッチ１１２ａは、撮像装置１００の電源を制御するためのスイッチである。パワースイッチ１１２ａがＯＮにされた場合、ＣＰＵ１１１は、撮像装置１００をパワーオン状態にする。パワースイッチ１１２ａがＯＦＦにされた場合、ＣＰＵ１１１は、撮像装置１００をパワーオフ状態或いは低消費電力状態にする。
【００６４】
動画撮影モードボタン１１２ｂは、動画撮影モードを開始、停止のいずれかをＣＰＵ１１１に指示するためのボタンである。動画撮影モードは、撮像装置１００が有する複数の動作モードの一つである。スタート／ストップボタン１１２ｃは、動画記録を開始、停止のいずれかをＣＰＵ１１１に指示するためのボタンである。
【００６５】
メニューボタン１１２ｄは、図６に示す設定メニュー６０１を表示デバイス１０７に表示させるか否かをＣＰＵ１１１に指示するためのボタンである。メニューボタン１１２ｄがＯＮにされた場合、ＣＰＵ１１１は、図６に示す設定メニュー６０１を表示デバイス１０７に表示させる。メニューボタン１１２ｄがＯＦＦにされた場合、ＣＰＵ１１１は、図６に示す設定メニュー６０１〜６０３を表示デバイス１０７に表示させないようにする。
【００６６】
十字ボタン１１２ｅは、図６に示す設定メニュー６０１〜６０３を操作するためのボタンである。セットボタン１１２ｆは、ユーザによって選択された項目を撮像装置１００に設定するためのボタンである。情報表示ボタン１１２ｇは、撮影情報付加機能をＯＮ、ＯＦＦのいずれかに設定するためのボタンである。
【００６７】
メモリＢ１１３は、様々な情報を格納するためのメモリである。フラット画質モードがＯＮ及びＯＦＦのいずれであるかを示す情報は、メモリＢ１１３に格納されている。画像処理パラメータ情報ＧＰ１及び画像処理パラメータ情報ＧＰ２は、メモリＢ１１３に格納されている。所定のポストプロセスに関する情報は、メモリＢ１１３に格納されている。撮像装置１００に関する初期設定は、メモリＢ１１３に格納されている。表示デバイス１０７に表示される設定メニュー６０１〜６０３及び他の設定メニューは、メモリＢ１１３に格納されている。後述する所定の条件Ｊ１、Ｊ２及びＪ３は、メモリＢ１１３に格納されている。撮影情報付加機能に関する設定情報は、メモリＢ１１３に格納されている。
【００６８】
次に、図６を参照して、撮像装置１００が有する設定メニューの一例を説明する。
【００６９】
図６は、本発明の実施形態１に係る撮像装置１００が有する設定メニューの一例を説明するための図である。図６に示す設定メニュー６０１〜６０３は、メモリＢ１１３に格納されている。
【００７０】
図６において、設定メニュー６０１は、動画撮影モードに関する設定情報を変更するための設定メニューである。
【００７１】
設定メニュー６０１の「フラット画質モード」が選択されている状態で、十字ボタン１１２ｅの右が押されると、「ＯＮ」及び「ＯＦＦ」のいずれかが表示される。「ＯＮ」が表示される状態で、セットボタン１１２ｆが押されると、ＣＰＵ１１１は、フラット画質モードをＯＮに変更する。「ＯＦＦ」が表示される状態で、セットボタン１１２ｆが押されると、ＣＰＵ１１１は、フラット画質モードをＯＦＦに変更する。なお、初期設定において、フラット画質モードに関する設定情報は例えば「ＯＦＦ」である。フラット画質モードに関する設定情報は、メモリＢ１１３に格納されている。
【００７２】
設定メニュー６０１の「表示アシスト機能」が選択されている状態で、セットボタン１１２ｆが押されると、ＣＰＵ１１１は、設定メニュー６０２を表示デバイス１０７に表示させる。これにより、ユーザは、表示アシスト機能に関する設定情報の変更が可能になる。
【００７３】
設定メニュー６０１の「動画記録サイズ」が選択されている状態で、十字ボタン１１２ｅの右が押されると、例えば、「４０９６×２１６０」、「１９２０×１０８０」及び「１２８０×７２０」のいずれかが表示される。実施形態１では、記録制御部１０５が記憶デバイス１０５ａに動画データとして記録する画像データの画像サイズ（或いは、水平及び垂直解像度）を「動画記録サイズ」と呼ぶ。「４０９６×２１６０」が表示される状態で、セットボタン１１２ｆが押されると、ＣＰＵ１１１は、動画記録サイズに関する設定情報を「４０９６×２１６０」に変更する。同様の操作により、ＣＰＵ１１１は、動画記録サイズに関する設定情報を「１９２０×１０８０」または「１２８０×７２０」に変更することができる。これにより、ユーザは、動画記録サイズとして「４０９６×２１６０」、「１９２０×１０８０」及び「１２８０×７２０」のいずれかを選択し、撮像装置１００に設定することができる。なお、初期設定において、動画記録サイズに関する設定情報は例えば「４０９６×２１６０」である。動画記録サイズに関する設定情報は、メモリＢ１１３に格納されている。
【００７４】
設定メニュー６０１の「外部出力サイズ」が選択されている状態で、セットボタン１１２ｆが押されると、ＣＰＵ１１１は、設定メニュー６０３を表示デバイス１０７に表示させる。これにより、ユーザは、外部出力サイズに関する設定情報の変更が可能になる。実施形態１では、ＨＤＭＩ制御部１０８又はＵＳＢ制御部１０９から外部装置ＥＸ１又はＥＸ２に出力される画像データの画像サイズ（或いは、水平及び垂直解像度）を「外部出力サイズ」と呼ぶ。
【００７５】
また、図６において、設定メニュー６０２は、表示アシスト機能に関する設定情報を変更するための設定メニューである。
【００７６】
設定メニュー６０２において、「ＴＦＴ」は、表示デバイス１０７に対応する。「ＴＦＴ」が選択されている状態で、十字ボタン１１２ｅの右が押されると、「ＯＮ」及び「ＯＦＦ」のいずれかが表示される。「ＯＮ」が表示される状態で、セットボタン１１２ｆが押されると、ＣＰＵ１１１は、表示デバイス１０７の表示アシスト機能に関する設定情報をＯＮに変更する。「ＯＦＦ」が表示される状態で、セットボタン１１２ｆが押されると、ＣＰＵ１１１は、表示デバイス１０７の表示アシスト機能に関する設定情報をＯＦＦに変更する。なお、初期設定において、表示デバイス１０７の表示アシスト機能に関する設定情報は例えば「ＯＮ」である。表示デバイス１０７の表示アシスト機能に関する設定情報は、メモリＢ１１３に格納されている。
【００７７】
また、設定メニュー６０２において、「ＨＤＭＩ」は、ＨＤＭＩ制御部１０８に対応する。「ＨＤＭＩ」が選択されている状態で、十字ボタン１１２ｅの右が押されると、「ＯＮ」及び「ＯＦＦ」のいずれかが表示される。「ＯＮ」が表示される状態で、セットボタン１１２ｆが押されると、ＣＰＵ１１１は、ＨＤＭＩ制御部１０８の表示アシスト機能に関する設定情報をＯＮに変更する。「ＯＦＦ」が表示される状態で、セットボタン１１２ｆが押されると、ＣＰＵ１１１は、ＨＤＭＩ制御部１０８の表示アシスト機能に関する設定情報をＯＦＦに変更する。なお、初期設定において、ＨＤＭＩ制御部１０８の表示アシスト機能に関する設定情報は例えば「ＯＦＦ」である。ＨＤＭＩ制御部１０８の表示アシスト機能に関する設定情報は、メモリＢ１１３に格納されている。
【００７８】
また、設定メニュー６０２において、「ＵＳＢ」は、ＵＳＢ制御部１０９に対応する。「ＵＳＢ」が選択されている状態で、十字ボタン１１２ｅの右が押されると、「ＯＮ」及び「ＯＦＦ」のいずれかが表示される。「ＯＮ」が表示される状態で、セットボタン１１２ｆが押されると、ＣＰＵ１１１は、ＵＳＢ制御部１０９の表示アシスト機能に関する設定情報をＯＮに変更する。「ＯＦＦ」が表示される状態で、セットボタン１１２ｆが押されると、ＣＰＵ１１１は、ＵＳＢ制御部１０９の表示アシスト機能に関する設定情報をＯＦＦに変更する。なお、初期設定において、ＵＳＢ制御部１０９の表示アシスト機能に関する設定情報は例えば「ＯＦＦ」である。ＵＳＢ制御部１０９の表示アシスト機能に関する設定情報は、メモリＢ１１３に格納されている。
【００７９】
また、図６において、設定メニュー６０３は、外部出力サイズに関する設定情報を変更するための設定メニューである。
【００８０】
設定メニュー６０３において、「ＨＤＭＩ」は、ＨＤＭＩ制御部１０８に対応する。「ＨＤＭＩ」が選択されている状態で、十字ボタン１１２ｅの右が押されると、例えば、「１９２０×１０８０」、「１２８０×７２０」及び「６４０×４８０」のいずれかが表示される。「１９２０×１０８０」が表示される状態で、セットボタン１１２ｆが押されると、ＣＰＵ１１１は、ＨＤＭＩ制御部１０８の外部出力サイズに関する設定情報を「１９２０×１０８０」に変更する。同様の操作により、ＣＰＵ１１１は、ＨＤＭＩ制御部１０８の外部出力サイズに関する設定情報を「１２８０×７２０」または「６４０×４８０」に変更することができる。これにより、ユーザは、ＨＤＭＩ制御部１０８の外部出力サイズとして「１９２０×１０８０」、「１２８０×７２０」及び「６４０×４８０」のいずれかを選択し、撮像装置１００に設定することができる。なお、初期設定において、ＨＤＭＩ制御部１０８の外部出力サイズに関する設定情報は例えば「１９２０×１０８０」である。ＨＤＭＩ制御部１０８の外部出力サイズに関する設定情報は、メモリＢ１１３に格納されている。
【００８１】
また、設定メニュー６０３において、「ＵＳＢ」は、ＵＳＢ制御部１０９に対応する。「ＵＳＢ」が選択されている状態で、十字ボタン１１２ｅの右が押されると、例えば、「１９２０×１０８０」、「１２８０×７２０」及び「６４０×４８０」のいずれかが表示される。「１９２０×１０８０」が表示される状態で、セットボタン１１２ｆが押されると、ＣＰＵ１１１は、ＵＳＢ制御部１０９の外部出力サイズに関する設定情報を「１９２０×１０８０」に変更する。同様の操作により、ＣＰＵ１１１は、ＵＳＢ制御部１０９の外部出力サイズに関する設定情報を「１２８０×７２０」または「６４０×４８０」に変更することができる。これにより、ユーザは、ＵＳＢ制御部１０９の外部出力サイズとして「１９２０×１０８０」、「１２８０×７２０」及び「６４０×４８０」のいずれかを選択し、撮像装置１００に設定することができる。なお、初期設定において、ＵＳＢ制御部１０９の外部出力サイズに関する設定情報は例えば「６４０×４８０」である。ＵＳＢ制御部１０９の外部出力サイズに関する設定情報は、メモリＢ１１３に格納されている。
【００８２】
次に、図２を参照して、本発明の実施形態１に係る撮像装置１００で行われる動画撮影処理Ａ１を説明する。図２は、本発明の実施形態１に係る撮像装置１００で行われる動画撮影処理Ａ１を説明するためのフローチャートである。動画撮影処理Ａ１は、ＣＰＵ１１１がメモリＡ１１０に格納されているプログラムＰｇ１を実行することによって制御される。
【００８３】
ステップＳ２０１において、ＣＰＵ１１１は、動画撮影モードの開始が指示されたか否かを判定する。
【００８４】
例えば、パワースイッチ１１２ａがＯＮである場合に、動画撮影モードボタン１１２ｂがＯＮにされた場合、ＣＰＵ１１１は、動画撮影モードの開始が指示されたと判定する。動画撮影モードの開始が指示された場合、ＣＰＵ１１１は、ステップＳ２０１からステップＳ２０２に進む（ステップＳ２０１でＹＥＳ）。
【００８５】
例えば、パワースイッチ１１２ａがＯＮであっても、動画撮影モードボタン１１２ｂがＯＮにされなかった場合、ＣＰＵ１１１は、動画撮影モードの開始が指示されなかったと判定する。動画撮影モードの開始が指示されなかった場合、ＣＰＵ１１１は、ステップＳ２０１を繰り返す（ステップＳ２０１でＮＯ）。
【００８６】
ステップＳ２０２において、ＣＰＵ１１１は、取り込み開始命令を撮像部１０１に送信する。取り込み開始命令を受信した撮像部１０１は、所定の時間Ｔ１ごとにレンズユニット１０１ａ及び撮像素子を用いて光学像を取り込む。撮像部１０１は、所定の時間Ｔ１ごとに撮像素子によって取り込まれた光学像からＲＡＷ画像データを生成する。これにより、撮像部１０１は、連続した２つ以上のＲＡＷ画像データを生成することができる。撮像部１０１で生成された各ＲＡＷ画像データは、撮像部１０１から第１の画像処理部１０２及び第２の画像処理部１０３のそれぞれに供給される。
【００８７】
取り込み開始命令が撮像部１０１に送信された場合、ＣＰＵ１１１は、ステップＳ２０２からステップＳ２０３に進む。
【００８８】
ステップＳ２０３において、ＣＰＵ１１１は、フラット画質モードがＯＮ及びＯＦＦのいずれであるかを判定する。
【００８９】
フラット画質モードがＯＮである場合、ＣＰＵ１１１は、ステップＳ２０３からステップＳ２０７に進む（ステップＳ２０３でＹＥＳ）。
【００９０】
フラット画質モードがＯＦＦである場合、ＣＰＵ１１１は、ステップＳ２０３からステップＳ２０４に進む（ステップＳ２０３でＮＯ）。
【００９１】
ステップＳ２０４において、ＣＰＵ１１１は、第１の画像処理命令を第１の画像処理部１０２に送信する。第１の画像処理命令を受信した第１の画像処理部１０２は、撮像部１０１から供給される各ＲＡＷ画像データを、画像処理パラメータ情報ＧＰ１を用いて処理する。これにより、第１の画像処理部１０２は、撮像部１０１から供給される各ＲＡＷ画像データをスタンダード画質の画像データに変換することができる。
【００９２】
また、ステップＳ２０４において、第１の画像処理部１０２で生成されたスタンダード画質の画像データは、記録制御部１０５、表示制御部１０６、ＨＤＭＩ制御部１０８及びＵＳＢ制御部１０９のそれぞれに供給される。
【００９３】
ＣＰＵ１１１が第１の画像処理命令を第１の画像処理部１０２に送信した後、ＣＰＵ１１１は、ステップＳ２０４からステップＳ２０６に進む。
【００９４】
ステップＳ２０５において、ＣＰＵ１１１は、動画撮影モード中にフラット画質モードに関する設定情報が変更されたか否かを判定する。
【００９５】
動画撮影モード中にフラット画質モードに関する設定情報が変更された場合、ＣＰＵ１１１は、ステップＳ２０５からステップＳ２０３に戻る（ステップＳ２０５でＹＥＳ）。
【００９６】
動画撮影モード中にフラット画質モードに関する設定情報が変更されなかった場合、ＣＰＵ１１１は、ステップＳ２０５からステップＳ２０６に進む（ステップＳ２０５でＮＯ）。
【００９７】
ステップＳ２０６において、ＣＰＵ１１１は、動画撮影モードの停止が指示されたか否かを判定する。
【００９８】
例えば、パワースイッチ１１２ａ及び動画撮影モードボタン１１２ｂのいずれか一つがＯＦＦにされた場合、ＣＰＵ１１１は、動画撮影モードの停止が指示されたと判定する。動画撮影モードの停止が指示された場合、ＣＰＵ１１１は、動画撮影処理Ａ１を終了する（ステップＳ２０６でＹＥＳ）。
【００９９】
例えば、パワースイッチ１１２ａ及び動画撮影モードボタン１１２ｂのいずれもＯＮである場合、ＣＰＵ１１１は、動画撮影モードの停止が指示されなかったと判定する。動画撮影モードの停止が指示されなかった場合、ＣＰＵ１１１は、ステップＳ２０６からステップＳ２０３に戻る（ステップＳ２０６でＮＯ）。
【０１００】
ステップＳ２０７において、ＣＰＵ１１１は、第２の画像処理命令を第２の画像処理部１０３に送信する。第２の画像処理命令を受信した第２の画像処理部１０３は、撮像部１０１から供給される各ＲＡＷ画像データを、画像処理パラメータ情報ＧＰ２を用いて処理する。これにより、第２の画像処理部１０３は、撮像部１０１から供給される各ＲＡＷ画像データをフラットな画質の画像データに変換することができる。
【０１０１】
また、ステップＳ２０７において、第２の画像処理部１０３で生成されたフラットな画質の画像データは、画質調整部１０４、記録制御部１０５、表示制御部１０６、ＨＤＭＩ制御部１０８及びＵＳＢ制御部１０９のそれぞれに供給される。
【０１０２】
ＣＰＵ１１１が第２の画像処理命令を第２の画像処理部１０３に送信した後、ＣＰＵ１１１は、ステップＳ２０７からステップＳ２０８に進む。
【０１０３】
ステップＳ２０８において、ＣＰＵ１１１は、画質調整命令を画質調整部１０４に送信する。画質調整命令を受信した画質調整部１０４は、第２の画像処理部１０３から供給される各画像データの画質が所定の画質になるように調整する。これにより、画質調整部１０４は、第２の画像処理部１０３から供給される各画像データを画質調整済みの画像データに変換することができる。
【０１０４】
また、ステップＳ２０８において、画質調整部１０４で生成された画質調整済みの画像データは、表示制御部１０６、ＨＤＭＩ制御部１０８及びＵＳＢ制御部１０９のそれぞれに供給される。
【０１０５】
ＣＰＵ１１１が画質調整命令を画質調整部１０４に送信した後、ＣＰＵ１１１は、ステップＳ２０８からステップＳ２０５に進む。
【０１０６】
このように、撮像装置１００は、フラット画質モードがＯＦＦである場合は、所定の時間Ｔ１ごとに、スタンダード画質の画像データを生成することができる。また、撮像装置１００は、フラット画質モードがＯＮである場合は、所定の時間Ｔ１ごとに、フラットな画質の画像データを生成することができる。また、撮像装置１００は、フラット画質モードがＯＮである場合は、所定の時間Ｔ１ごとに、所定のポストプロセスが適用された後の画質の画像データを生成することができる。
【０１０７】
次に、図３を参照して、本発明の実施形態１に係る撮像装置１００で行われる動画記録処理Ｂ１を説明する。図３は、本発明の実施形態１に係る撮像装置１００で行われる動画記録処理Ｂ１を説明するためのフローチャートである。動画記録処理Ｂ１は、ＣＰＵ１１１がメモリＡ１１０に格納されているプログラムＰｇ２を実行することによって制御される。
【０１０８】
ステップＳ３０１において、ＣＰＵ１１１は、動画記録の開始が指示されたか否かを判定する。
【０１０９】
例えば、パワースイッチ１１２ａ及び動画撮影モードボタン１１２ｂがＯＮである場合に、スタート／ストップボタン１１２ｃがＯＮにされた場合、ＣＰＵ１１１は、動画記録の開始が指示されたと判定する。動画記録の開始が指示された場合、ＣＰＵ１１１は、ステップＳ３０１からステップＳ３０２に進む（ステップＳ３０１でＹＥＳ）。
【０１１０】
例えば、パワースイッチ１１２ａ及び動画撮影モードボタン１１２ｂがＯＮであっても、スタート／ストップボタン１１２ｃがＯＮにされなかった場合、ＣＰＵ１１１は、動画記録の開始が指示されなかったと判定する。動画記録の開始が指示されなかった場合、ＣＰＵ１１１は、ステップＳ３０１を繰り返す（ステップＳ３０１でＮＯ）。
【０１１１】
ステップＳ３０２において、ＣＰＵ１１１は、フラット画質モードがＯＮ及びＯＦＦのいずれであるかを判定する。
【０１１２】
フラット画質モードがＯＮである場合、ＣＰＵ１１１は、ステップＳ３０２からステップＳ３０６に進む（ステップＳ３０２でＹＥＳ）。フラット画質モードがＯＮである場合、撮像装置１００内では、フラットな画質の画像データが生成される（ステップＳ２０７参照）。
【０１１３】
フラット画質モードがＯＦＦである場合、ＣＰＵ１１１は、ステップＳ３０２からステップＳ３０３に進む（ステップＳ３０２でＮＯ）。フラット画質モードがＯＦＦである場合、撮像装置１００内では、スタンダード画質の画像データが生成される（ステップＳ２０４参照）。
【０１１４】
ステップＳ３０３において、ＣＰＵ１１１は、第１の記録開始命令を記録制御部１０５に送信する。第１の記録開始命令を受信した記録制御部１０５は、第１の画像処理部１０２から記録制御部１０５に供給される各画像データを動画データとして記憶デバイス１０５ａに記録する処理を開始する。これにより、スタンダード画質の画像データが動画データとして記憶デバイス１０５ａに記録される。記憶デバイス１０５ａに記録されるスタンダード画質の画像データの画像サイズ（或いは、水平及び垂直解像度）は、動画記録サイズに関する設定情報に応じて決定される。
【０１１５】
第１の記録開始命令が記録制御部１０５に送信された場合、ＣＰＵ１１１は、ステップＳ３０３からステップＳ３０４に進む。
【０１１６】
ステップＳ３０４において、ＣＰＵ１１１は、動画記録の停止が指示されたか否かを判定する。
【０１１７】
例えば、パワースイッチ１１２ａ、動画撮影モードボタン１１２ｂ及びスタート／ストップボタン１１２ｃのいずれか一つがＯＦＦにされた場合、ＣＰＵ１１１は、動画記録の停止が指示されたと判定する。動画記録の停止が指示された場合、ＣＰＵ１１１は、ステップＳ３０４からステップＳ３０５に進む（ステップＳ３０４でＹＥＳ）。
【０１１８】
例えば、パワースイッチ１１２ａ、動画撮影モードボタン１１２ｂ及びスタート／ストップボタン１１２ｃのいずれもＯＮである場合、ＣＰＵ１１１は、動画記録の停止が指示されなかったと判定する。動画記録の停止が指示されなかった場合、ＣＰＵ１１１は、ステップＳ３０４を繰り返す（ステップＳ３０４でＮＯ）。
【０１１９】
ステップＳ３０５において、ＣＰＵ１１１は、記録停止命令を記録制御部１０５に送信する。記録停止命令を受信した記録制御部１０５は、第１の画像処理部１０２から記録制御部１０５に供給される各画像データの記憶デバイス１０５ａへの記録を停止する。これにより、スタンダード画質の画像データの記憶デバイス１０５ａへの記録が停止される。記録制御部１０５がスタンダード画質の画像データの記憶デバイス１０５ａへの記録を停止した場合、ＣＰＵ１１１は、動画記録処理Ｂ１を終了する。
【０１２０】
ステップＳ３０６において、ＣＰＵ１１１は、第２の記録開始命令を記録制御部１０５に送信する。第２の記録開始命令を受信した記録制御部１０５は、第２の画像処理部１０３から記録制御部１０５に供給される各画像データを動画データとして記憶デバイス１０５ａに記録する処理を開始する。これにより、フラットな画質の画像データが動画データとして記憶デバイス１０５ａに記録される。記憶デバイス１０５ａに記録されるフラットな画質の画像データの画像サイズ（或いは、水平及び垂直解像度）は、動画記録サイズに関する設定情報に応じて決定される。
【０１２１】
第２の記録開始命令が記録制御部１０５に送信された場合、ＣＰＵ１１１は、ステップＳ３０６からステップＳ３０７に進む。
【０１２２】
ステップＳ３０７において、ＣＰＵ１１１は、動画記録の停止が指示されたか否かを判定する。
【０１２３】
例えば、パワースイッチ１１２ａ、動画撮影モードボタン１１２ｂ及びスタート／ストップボタン１１２ｃのいずれか一つがＯＦＦにされた場合、ＣＰＵ１１１は、動画記録の停止が指示されたと判定する。動画記録の停止が指示された場合、ＣＰＵ１１１は、ステップＳ３０７からステップＳ３０８に進む（ステップＳ３０７でＹＥＳ）。
【０１２４】
例えば、パワースイッチ１１２ａ、動画撮影モードボタン１１２ｂ及びスタート／ストップボタン１１２ｃがいずれもＯＮである場合、ＣＰＵ１１１は、動画記録の停止が指示されなかったと判定する。動画記録の停止が指示されなかった場合、ＣＰＵ１１１は、ステップＳ３０７を繰り返す（ステップＳ３０７でＮＯ）。
【０１２５】
ステップＳ３０８において、ＣＰＵ１１１は、記録停止命令を記録制御部１０５に送信する。記録停止命令を受信した記録制御部１０５は、第２の画像処理部１０３から記録制御部１０５に供給される各画像データの記憶デバイス１０５ａへの記録を停止する。これにより、フラットな画質の画像データの記憶デバイス１０５ａへの記録が停止される。記録制御部１０５がフラットな画質の画像データの記憶デバイス１０５ａへの記録を停止した場合、ＣＰＵ１１１は、動画記録処理Ｂ１を終了する。
【０１２６】
このように、撮像装置１００は、フラット画質モードがＯＦＦである場合は、スタンダード画質の画像データを動画データとして記憶デバイス１０５ａに記録することができる。
【０１２７】
また、撮像装置１００は、フラット画質モードがＯＮである場合は、フラットな画質の画像データを動画データとして記憶デバイス１０５ａに記録することができる。
【０１２８】
また、撮像装置１００は、フラット画質モードがＯＮである場合は、表示アシスト機能がＯＮであるか否かにかかわらず、フラットな画質の画像データを動画データとして記憶デバイス１０５ａに記録することができる。
【０１２９】
次に、図４を参照して、本発明の実施形態１に係る撮像装置１００で行われる動画表示処理Ｃ１を説明する。図４は、本発明の実施形態１に係る撮像装置１００で行われる動画表示処理Ｃ１を説明するためのフローチャートである。動画表示処理Ｃ１は、ＣＰＵ１１１がメモリＡ１１０に格納されているプログラムＰｇ３を実行することによって制御される。
【０１３０】
ステップＳ４０１において、ＣＰＵ１１１は、動画撮影モードの開始が指示されたか否かを判定する。
【０１３１】
例えば、パワースイッチ１１２ａがＯＮにされている場合に、動画撮影モードボタン１１２ｂがＯＮにされた場合、ＣＰＵ１１１は、動画撮影モードの開始が指示されたと判定する。動画撮影モードの開始が指示された場合、ＣＰＵ１１１は、ステップＳ４０１からステップＳ４０２に進む（ステップＳ４０１でＹＥＳ）。
【０１３２】
例えば、パワースイッチ１１２ａがＯＮであっても、動画撮影モードボタン１１２ｂがＯＮにされなかった場合、ＣＰＵ１１１は、動画撮影モードの開始が指示されなかったと判定する。動画撮影モードの開始が指示されなかった場合、ＣＰＵ１１１は、ステップＳ４０１を繰り返す（ステップＳ４０１でＮＯ）。
【０１３３】
ステップＳ４０２において、ＣＰＵ１１１は、フラット画質モードがＯＮ及びＯＦＦのいずれであるかを判定する。
【０１３４】
フラット画質モードがＯＮである場合、ＣＰＵ１１１は、ステップＳ４０２からステップＳ４０６に進む（ステップＳ４０２でＹＥＳ）。フラット画質モードがＯＮである場合、撮像装置１００内では、フラットな画質の画像データが生成される（ステップＳ２０７参照）。フラット画質モードがＯＮである場合、撮像装置１００内では、画質調整済みの画像データも生成される（ステップＳ２０８参照）。
【０１３５】
フラット画質モードがＯＦＦである場合、ＣＰＵ１１１は、ステップＳ４０２からステップＳ４０３に進む（ステップＳ４０２でＮＯ）。フラット画質モードがＯＦＦである場合、撮像装置１００内では、スタンダード画質の画像データが生成される（ステップＳ２０４参照）。
【０１３６】
ステップＳ４０３において、ＣＰＵ１１１は、第１の表示開始命令を表示制御部１０６に送信する。第１の表示開始命令を受信した表示制御部１０６は、第１の画像処理部１０２から表示制御部１０６に供給されるスタンダード画質の画像データに対応する画像が表示デバイス１０７に表示されるように表示デバイス１０７を制御する。これにより、フラット画質モードがＯＦＦである場合、表示デバイス１０７には、スタンダード画質の動画が表示される。したがって、フラット画質モードがＯＦＦである場合、表示デバイス１０７の出力画質はスタンダード画質となる。
【０１３７】
第１の表示開始命令が表示制御部１０６に送信された場合、ＣＰＵ１１１は、ステップＳ４０３からステップＳ４０４に進む。
【０１３８】
ステップＳ４０４において、ＣＰＵ１１１は、動画撮影モード中にフラット画質モードに関する設定情報が変更されたか否かを判定する。また、ステップＳ４０４において、ＣＰＵ１１１は、動画撮影モード中に表示デバイス１０７の表示アシスト機能に関する設定情報が変更されたか否かを判定する。
【０１３９】
動画撮影モード中にフラット画質モードに関する設定情報が変更された場合、ＣＰＵ１１１は、ステップＳ４０４からステップＳ４０２に戻る（ステップＳ４０４でＹＥＳ）。動画撮影モード中に表示デバイス１０７の表示アシスト機能に関する設定情報が変更されている場合も、ＣＰＵ１１１は、ステップＳ４０４からステップＳ４０２に戻る（ステップＳ４０４でＹＥＳ）。
【０１４０】
動画撮影モード中にフラット画質モードに関する設定情報が変更されなかった場合、ＣＰＵ１１１は、ステップＳ４０４からステップＳ４０５に進む（ステップＳ４０４でＮＯ）。動画撮影モード中に表示デバイス１０７の表示アシスト機能に関する設定情報が変更されていない場合も、ＣＰＵ１１１は、ステップＳ４０４からステップＳ４０５に進む（ステップＳ４０４でＮＯ）。
【０１４１】
ステップＳ４０５において、ＣＰＵ１１１は、動画撮影モードの停止が指示されたか否かを判定する。
【０１４２】
例えば、パワースイッチ１１２ａ及び動画撮影モードボタン１１２ｂのいずれか一つがＯＦＦにされた場合、ＣＰＵ１１１は、動画撮影モードの停止が指示されたと判定する。動画撮影モードの停止が指示された場合、ＣＰＵ１１１は、動画表示処理Ｃ１を終了する（ステップＳ４０５でＹＥＳ）。
【０１４３】
例えば、パワースイッチ１１２ａ及び動画撮影モードボタン１１２ｂのいずれもＯＮである場合、ＣＰＵ１１１は、動画撮影モードの停止が指示されなかったと判定する。動画撮影モードの停止が指示されなかった場合、ＣＰＵ１１１は、ステップＳ４０５からステップＳ４０４に戻る（ステップＳ４０５でＮＯ）。
【０１４４】
ステップＳ４０６において、ＣＰＵ１１１は、所定の条件Ｊ１が満たされているか否かを判定する。所定の条件Ｊ１は、例えば、表示デバイス１０７の表示アシスト機能がＯＮであることである。
【０１４５】
表示デバイス１０７の表示アシスト機能がＯＮである場合、ＣＰＵ１１１は、所定の条件Ｊ１が満たされていると判定する。所定の条件Ｊ１が満たされている場合、ＣＰＵ１１１は、ステップＳ４０６からステップＳ４０８に進む（ステップＳ４０６でＹＥＳ）。
【０１４６】
表示デバイス１０７の表示アシスト機能がＯＦＦである場合、ＣＰＵ１１１は、所定の条件Ｊ１が満たされていないと判定する。所定の条件Ｊ１が満たされていない場合、ＣＰＵ１１１は、ステップＳ４０６からステップＳ４０７に進む（ステップＳ４０６でＮＯ）。
【０１４７】
ステップＳ４０７において、ＣＰＵ１１１は、第２の表示開始命令を表示制御部１０６に送信する。第２の表示開始命令を受信した表示制御部１０６は、第２の画像処理部１０３から表示制御部１０６に供給されるフラットな画質の画像データに対応する画像が表示デバイス１０７に表示されるように表示デバイス１０７を制御する。これにより、フラット画質モードがＯＮであっても、表示デバイス１０７の表示アシスト機能がＯＦＦである場合、表示デバイス１０７には、フラットな画質の動画が表示される。したがって、フラット画質モードがＯＮであっても、表示デバイス１０７の表示アシスト機能がＯＦＦである場合、表示デバイス１０７の出力画質はフラットな画質となる。
【０１４８】
第２の表示開始命令が表示制御部１０６に送信された場合、ＣＰＵ１１１は、ステップＳ４０７からステップＳ４０４に進む。
【０１４９】
ステップＳ４０８において、ＣＰＵ１１１は、第３の表示開始命令を表示制御部１０６に送信する。第３の表示開始命令を受信した表示制御部１０６は、画質調整部１０４から表示制御部１０６に供給される画質調整済みの画像データに対応する画像が表示デバイス１０７に表示されるように表示デバイス１０７を制御する。このように、フラット画質モードがＯＮであり、表示デバイス１０７の表示アシスト機能もＯＮである場合、表示デバイス１０７に表示される動画の画質は、所定のポストプロセスが適用された後の画質となる。したがって、フラット画質モードがＯＮであり、表示デバイス１０７の表示アシスト機能もＯＮである場合、表示デバイス１０７の出力画質は所定のポストプロセスが適用された後の画質となる。
【０１５０】
第３の表示開始命令が表示制御部１０６に送信された場合、ＣＰＵ１１１は、ステップＳ４０８からステップＳ４０４に進む。
【０１５１】
このように、フラット画質モードをＯＮまたはＯＦＦに設定し、表示デバイス１０７の表示アシスト機能をＯＮまたはＯＦＦに設定することにより、ユーザは、表示デバイス１０７の出力画質を自由に変更することができる。これにより、所定のポストプロセスに適したフラットな画質の画像データが生成される場合において、フラットな画質の画像データの代わりに、所定のポストプロセスが適用された後の画質の画像データを表示デバイス１０７に表示させることができる。
【０１５２】
次に、図５を参照して、本発明の実施形態１に係る撮像装置１００で行われる動画出力処理Ｄ１を説明する。図５は、本発明の実施形態１に係る撮像装置１００で行われる動画出力処理Ｄ１を説明するためのフローチャートである。動画出力処理Ｄ１は、ＣＰＵ１１１がメモリＡ１１０に格納されているプログラムＰｇ４を実行することによって制御される。
【０１５３】
ステップＳ５０１において、ＣＰＵ１１１は、動画撮影モードの開始が指示されたか否かを判定する。
【０１５４】
例えば、パワースイッチ１１２ａがＯＮにされている場合に、動画撮影モードボタン１１２ｂがＯＮにされた場合、ＣＰＵ１１１は、動画撮影モードの開始が指示されたと判定する。動画撮影モードの開始が指示された場合、ＣＰＵ１１１は、ステップＳ５０１からステップＳ５０２に進む（ステップＳ５０１でＹＥＳ）。
【０１５５】
例えば、パワースイッチ１１２ａがＯＮであっても、動画撮影モードボタン１１２ｂがＯＮにされなかった場合、ＣＰＵ１１１は、動画撮影モードの開始が指示されなかったと判定する。動画撮影モードの開始が指示されなかった場合、ＣＰＵ１１１は、ステップＳ５０１を繰り返す（ステップＳ５０１でＮＯ）。
【０１５６】
ステップＳ５０２において、ＣＰＵ１１１は、フラット画質モードがＯＮ及びＯＦＦのいずれであるかを判定する。
【０１５７】
フラット画質モードがＯＮである場合、ＣＰＵ１１１は、ステップＳ５０２からステップＳ５０６に進む（ステップＳ５０２でＹＥＳ）。フラット画質モードがＯＮである場合、撮像装置１００内では、フラットな画質の画像データが生成される（ステップＳ２０７参照）。フラット画質モードがＯＮである場合、撮像装置１００内では、画質調整済みの画像データも生成される（ステップＳ２０８参照）。
【０１５８】
フラット画質モードがＯＦＦである場合、ＣＰＵ１１１は、ステップＳ５０２からステップＳ５０３に進む（ステップＳ５０２でＮＯ）。フラット画質モードがＯＦＦである場合、撮像装置１００内では、スタンダード画質の画像データが生成される（ステップＳ２０４参照）。
【０１５９】
ステップＳ５０３において、ＣＰＵ１１１は、第１の出力開始命令をＨＤＭＩ制御部１０８に送信する。第１の出力開始命令を受信したＨＤＭＩ制御部１０８は、第１の画像処理部１０２からＨＤＭＩ制御部１０８に供給されるスタンダード画質の画像データをＨＤＭＩコネクタ１０８ａを介して外部装置ＥＸ１に送信する。外部装置ＥＸ１が外部記録装置として動作する場合は、ＨＤＭＩ制御部１０８から送信されたスタンダード画質の画像データを外部装置ＥＸ１の記録媒体に記録することができる。外部装置ＥＸ１が外部表示装置として動作する場合は、ＨＤＭＩ制御部１０８から送信されたスタンダード画質の画像データに対応する画像を外部装置ＥＸ１の表示デバイスに表示させることができる。このように、フラット画質モードがＯＦＦである場合、スタンダード画質の画像データがＨＤＭＩ制御部１０８から出力される。したがって、フラット画質モードがＯＦＦである場合、ＨＤＭＩ制御部１０８の出力画質はスタンダード画質となる。
【０１６０】
第１の出力開始命令がＨＤＭＩ制御部１０８に送信された場合、ＣＰＵ１１１は、ステップＳ５０３からステップＳ５０４に進む。
【０１６１】
ステップＳ５０４において、ＣＰＵ１１１は、動画撮影モード中にフラット画質モードに関する設定情報が変更されたか否かを判定する。また、ステップＳ５０４において、ＣＰＵ１１１は、動画撮影モード中にＨＤＭＩ制御部１０８の表示アシスト機能に関する設定情報が変更されたか否かを判定する。
【０１６２】
動画撮影モード中にフラット画質モードに関する設定情報が変更された場合、ＣＰＵ１１１は、ステップＳ５０４からステップＳ５０２に戻る（ステップＳ５０４でＹＥＳ）。動画撮影モード中にＨＤＭＩ制御部１０８の表示アシスト機能に関する設定情報が変更されている場合も、ＣＰＵ１１１は、ステップＳ５０４からステップＳ５０２に戻る（ステップＳ５０４でＹＥＳ）。
【０１６３】
動画撮影モード中にフラット画質モードに関する設定情報が変更されなかった場合、ＣＰＵ１１１は、ステップＳ５０４からステップＳ５０５に進む（ステップＳ５０４でＮＯ）。動画撮影モード中にＨＤＭＩ制御部１０８の表示アシスト機能に関する設定情報が変更されていない場合も、ＣＰＵ１１１は、ステップＳ５０４からステップＳ５０５に進む（ステップＳ５０４でＮＯ）。
【０１６４】
ステップＳ５０５において、ＣＰＵ１１１は、動画撮影モードの停止が指示されたか否かを判定する。
【０１６５】
例えば、パワースイッチ１１２ａ及び動画撮影モードボタン１１２ｂのいずれか一つがＯＦＦにされた場合、ＣＰＵ１１１は、動画撮影モードの停止が指示されたと判定する。動画撮影モードの停止が指示された場合、ＣＰＵ１１１は、動画出力処理Ｄ１を終了する（ステップＳ５０５でＹＥＳ）。
【０１６６】
例えば、パワースイッチ１１２ａ及び動画撮影モードボタン１１２ｂのいずれもＯＮである場合、ＣＰＵ１１１は、動画撮影モードの停止が指示されなかったと判定する。動画撮影モードの停止が指示されなかった場合、ＣＰＵ１１１は、ステップＳ５０５からステップＳ５０４に戻る（ステップＳ５０５でＮＯ）。
【０１６７】
ステップＳ５０６において、ＣＰＵ１１１は、所定の条件Ｊ２が満たされているか否かを判定する。所定の条件Ｊ２は、例えば、ＨＤＭＩ制御部１０８の表示アシスト機能がＯＮであることである。
【０１６８】
ＨＤＭＩ制御部１０８の表示アシスト機能がＯＮである場合、ＣＰＵ１１１は、所定の条件Ｊ２が満たされていると判定する。所定の条件Ｊ２が満たされている場合、ＣＰＵ１１１は、ステップＳ５０６からステップＳ５０８に進む（ステップＳ５０６でＹＥＳ）。
【０１６９】
ＨＤＭＩ制御部１０８の表示アシスト機能がＯＦＦである場合、ＣＰＵ１１１は、所定の条件Ｊ２が満たされていないと判定する。所定の条件Ｊ２が満たされていない場合、ＣＰＵ１１１は、ステップＳ５０６からステップＳ５０７に進む（ステップＳ５０６でＮＯ）。
【０１７０】
ステップＳ５０７において、ＣＰＵ１１１は、第２の出力開始命令をＨＤＭＩ制御部１０８に送信する。第２の出力開始命令を受信したＨＤＭＩ制御部１０８は、第２の画像処理部１０３からＨＤＭＩ制御部１０８に供給されるフラットな画質の画像データをＨＤＭＩコネクタ１０８ａを介して外部装置ＥＸ１に送信する。外部装置ＥＸ１が外部記録装置として動作する場合は、ＨＤＭＩ制御部１０８から送信されたフラットな画質の画像データを外部装置ＥＸ１の記録媒体に記録することができる。外部装置ＥＸ１が外部表示装置として動作する場合は、ＨＤＭＩ制御部１０８から送信されたフラットな画質の画像データに対応する画像を外部装置ＥＸ１の表示デバイスに表示させることができる。このように、フラット画質モードがＯＮであっても、表示デバイス１０７の表示アシスト機能がＯＦＦである場合、フラットな画質の画像データがＨＤＭＩ制御部１０８から出力される。したがって、フラット画質モードがＯＮであっても、表示デバイス１０７の表示アシスト機能がＯＦＦである場合、ＨＤＭＩ制御部１０８の出力画質はフラットな画質となる。
【０１７１】
第２の出力開始命令がＨＤＭＩ制御部１０８に送信された場合、ＣＰＵ１１１は、ステップＳ５０７からステップＳ５０４に進む。
【０１７２】
ステップＳ５０８において、ＣＰＵ１１１は、第３の出力開始命令をＨＤＭＩ制御部１０８に送信する。第３の出力開始命令を受信したＨＤＭＩ制御部１０８は、画質調整部１０４からＨＤＭＩ制御部１０８に供給される画質調整済みの画像データをＨＤＭＩコネクタ１０８ａを介して外部装置ＥＸ１に送信する。外部装置ＥＸ１が外部記録装置として動作する場合は、ＨＤＭＩ制御部１０８から送信された画質調整済みの画像データを外部装置ＥＸ１の記録媒体に記録することができる。外部装置ＥＸ１が外部表示装置として動作する場合は、ＨＤＭＩ制御部１０８から送信された画質調整済みの画像データに対応する画像を外部装置ＥＸ１の表示デバイスに表示させることができる。このように、フラット画質モードがＯＮであり、表示デバイス１０７の表示アシスト機能もＯＮである場合、画質調整済みの画像データがＨＤＭＩ制御部１０８から出力される。したがって、フラット画質モードがＯＮであり、表示デバイス１０７の表示アシスト機能もＯＮである場合、ＨＤＭＩ制御部１０８の出力画質は所定のポストプロセスが適用された後の画質となる。
【０１７３】
第３の出力開始命令がＨＤＭＩ制御部１０８に送信された場合、ＣＰＵ１１１は、ステップＳ５０８からステップＳ５０４に進む。
【０１７４】
このように、実施形態１によれば、フラット画質モードをＯＮまたはＯＦＦに設定し、ＨＤＭＩ制御部１０８の表示アシスト機能をＯＮまたはＯＦＦに設定することにより、ユーザは、ＨＤＭＩ制御部１０８の出力画質を自由に変更することができる。例えば、ＨＤＭＩ制御部１０８を所定のポストプロセスが適用された後の画質の画像データを出力する外部出力部として選択することができる。これにより、所定のポストプロセスに適したフラットな画質の画像データが生成される場合であっても、所定のポストプロセスが適用された後の画質の画像データをＨＤＭＩ制御部１０８から出力することができる。
【０１７５】
次に、図７を参照して、本発明の実施形態１に係る撮像装置１００で行われる動画出力処理Ｄ２を説明する。図７は、本発明の実施形態１に係る撮像装置１００で行われる動画出力処理Ｄ２を説明するためのフローチャートである。動画出力処理Ｄ２は、ＣＰＵ１１１がメモリＡ１１０に格納されているプログラムＰｇ５を実行することによって制御される。
【０１７６】
ステップＳ７０１において、ＣＰＵ１１１は、動画撮影モードの開始が指示されたか否かを判定する。
【０１７７】
例えば、パワースイッチ１１２ａがＯＮにされている場合に、動画撮影モードボタン１１２ｂがＯＮにされた場合、ＣＰＵ１１１は、動画撮影モードの開始が指示されたと判定する。動画撮影モードの開始が指示された場合、ＣＰＵ１１１は、ステップＳ７０１からステップＳ７０２に進む（ステップＳ７０１でＹＥＳ）。
【０１７８】
例えば、パワースイッチ１１２ａがＯＮであっても、動画撮影モードボタン１１２ｂがＯＮにされなかった場合、ＣＰＵ１１１は、動画撮影モードの開始が指示されなかったと判定する。動画撮影モードの開始が指示されなかった場合、ＣＰＵ１１１は、ステップＳ７０１を繰り返す（ステップＳ７０１でＮＯ）。
【０１７９】
ステップＳ７０２において、ＣＰＵ１１１は、フラット画質モードがＯＮ及びＯＦＦのいずれであるかを判定する。
【０１８０】
フラット画質モードがＯＮである場合、ＣＰＵ１１１は、ステップＳ７０２からステップＳ７０６に進む（ステップＳ７０２でＹＥＳ）。フラット画質モードがＯＮである場合、撮像装置１００内では、フラットな画質の画像データが生成される。
【０１８１】
フラット画質モードがＯＦＦである場合、ＣＰＵ１１１は、ステップＳ７０２からステップＳ７０３に進む（ステップＳ７０２でＮＯ）。フラット画質モードがＯＦＦである場合、撮像装置１００内では、スタンダード画質の画像データが生成される。
【０１８２】
ステップＳ７０３において、ＣＰＵ１１１は、第４の出力開始命令をＵＳＢ制御部１０９に送信する。第４の出力開始命令を受信したＵＳＢ制御部１０９は、第１の画像処理部１０２からＵＳＢ制御部１０９に供給されるスタンダード画質の画像データをＵＳＢコネクタ１０９ａを介して外部装置ＥＸ２に送信する。外部装置ＥＸ２が外部記録装置として動作する場合は、ＵＳＢ制御部１０９から送信されたスタンダード画質の画像データを外部装置ＥＸ２の記録媒体に記録することができる。外部装置ＥＸ２が外部表示装置として動作する場合は、ＵＳＢ制御部１０９から送信されたスタンダード画質の画像データに対応する画像を外部装置ＥＸ２の表示デバイスに表示させることができる。このように、フラット画質モードがＯＦＦである場合、スタンダード画質の画像データがＵＳＢ制御部１０９から出力される。したがって、フラット画質モードがＯＦＦである場合、ＵＳＢ制御部１０９の出力画質はスタンダード画質となる。
【０１８３】
第４の出力開始命令がＵＳＢ制御部１０９に送信された場合、ＣＰＵ１１１は、ステップＳ７０３からステップＳ７０４に進む。
【０１８４】
ステップＳ７０４において、ＣＰＵ１１１は、動画撮影モード中にフラット画質モードに関する設定情報が変更されたか否かを判定する。また、ステップＳ７０４において、ＣＰＵ１１１は、動画撮影モード中にＵＳＢ制御部１０９の表示アシスト機能に関する設定情報が変更されたか否かを判定する。
【０１８５】
動画撮影モード中にフラット画質モードに関する設定情報が変更された場合、ＣＰＵ１１１は、ステップＳ７０４からステップＳ７０２に戻る（ステップＳ７０４でＹＥＳ）。動画撮影モード中にＵＳＢ制御部１０９の表示アシスト機能に関する設定情報が変更されている場合も、ＣＰＵ１１１は、ステップＳ７０４からステップＳ７０２に戻る（ステップＳ７０４でＹＥＳ）。
【０１８６】
動画撮影モード中にフラット画質モードに関する設定情報が変更されなかった場合、ＣＰＵ１１１は、ステップＳ７０４からステップＳ７０５に進む（ステップＳ７０４でＮＯ）。動画撮影モード中にＵＳＢ制御部１０９の表示アシスト機能に関する設定情報が変更されていない場合も、ＣＰＵ１１１は、ステップＳ７０４からステップＳ７０５に進む（ステップＳ７０４でＮＯ）。
【０１８７】
ステップＳ７０５において、ＣＰＵ１１１は、動画撮影モードの停止が指示されたか否かを判定する。
【０１８８】
例えば、パワースイッチ１１２ａ及び動画撮影モードボタン１１２ｂのいずれか一つがＯＦＦにされた場合、ＣＰＵ１１１は、動画撮影モードの停止が指示されたと判定する。動画撮影モードの停止が指示された場合、ＣＰＵ１１１は、動画出力処理Ｄ２を終了する（ステップＳ７０５でＹＥＳ）。
【０１８９】
例えば、パワースイッチ１１２ａ及び動画撮影モードボタン１１２ｂのいずれもＯＮである場合、ＣＰＵ１１１は、動画撮影モードの停止が指示されなかったと判定する。動画撮影モードの停止が指示されなかった場合、ＣＰＵ１１１は、ステップＳ７０５からステップＳ７０４に戻る（ステップＳ７０５でＮＯ）。
【０１９０】
ステップＳ７０６において、ＣＰＵ１１１は、所定の条件Ｊ３が満たされているか否かを判定する。所定の条件Ｊ３は、例えば、ＵＳＢ制御部１０９の表示アシスト機能がＯＮであることである。
【０１９１】
ＵＳＢ制御部１０９の表示アシスト機能がＯＮである場合、ＣＰＵ１１１は、所定の条件Ｊ３が満たされていると判定する。所定の条件Ｊ３が満たされている場合、ＣＰＵ１１１は、ステップＳ７０６からステップＳ７０８に進む（ステップＳ７０６でＹＥＳ）。
【０１９２】
ＵＳＢ制御部１０９の表示アシスト機能がＯＦＦである場合、ＣＰＵ１１１は、所定の条件Ｊ３が満たされていないと判定する。所定の条件Ｊ３が満たされていない場合、ＣＰＵ１１１は、ステップＳ７０６からステップＳ７０７に進む（ステップＳ７０６でＮＯ）。
【０１９３】
ステップＳ７０７において、ＣＰＵ１１１は、第５の出力開始命令をＵＳＢ制御部１０９に送信する。第５の出力開始命令を受信したＵＳＢ制御部１０９は、第２の画像処理部１０３からＵＳＢ制御部１０９に供給されるフラットな画質の画像データをＵＳＢコネクタ１０９ａを介して外部装置ＥＸ２に送信する。外部装置ＥＸ２が外部記録装置として動作する場合は、ＵＳＢ制御部１０９から送信されたフラットな画質の画像データを外部装置ＥＸ２の記録媒体に記録することができる。外部装置ＥＸ２が外部表示装置として動作する場合は、ＵＳＢ制御部１０９から送信されたフラットな画質の画像データに対応する画像を外部装置ＥＸ２の表示デバイスに表示させることができる。このように、フラット画質モードがＯＮであっても、表示デバイス１０７の表示アシスト機能がＯＦＦである場合、フラットな画質の画像データがＵＳＢ制御部１０９から出力される。したがって、フラット画質モードがＯＮであっても、表示デバイス１０７の表示アシスト機能がＯＦＦである場合、ＵＳＢ制御部１０９の出力画質はフラットな画質となる。
【０１９４】
第５の出力開始命令がＵＳＢ制御部１０９に送信された場合、ＣＰＵ１１１は、ステップＳ７０７からステップＳ７０４に進む。
【０１９５】
ステップＳ７０８において、ＣＰＵ１１１は、第６の出力開始命令をＵＳＢ制御部１０９に送信する。第６の出力開始命令を受信したＵＳＢ制御部１０９は、画質調整部１０４からＵＳＢ制御部１０９に供給される画質調整済みの画像データをＵＳＢコネクタ１０９ａを介して外部装置ＥＸ２に送信する。外部装置ＥＸ２が外部記録装置として動作する場合は、ＵＳＢ制御部１０９から送信された画質調整済みの画像データを外部装置ＥＸ２の記録媒体に記録することができる。外部装置ＥＸ２が外部表示装置として動作する場合は、ＵＳＢ制御部１０９から送信された画質調整済みの画像データに対応する画像を外部装置ＥＸ２の表示デバイスに表示させることができる。このように、フラット画質モードがＯＮであり、表示デバイス１０７の表示アシスト機能もＯＮである場合、画質調整済みの画像データがＵＳＢ制御部１０９から出力される。したがって、フラット画質モードがＯＮであり、表示デバイス１０７の表示アシスト機能もＯＮである場合、ＵＳＢ制御部１０９の出力画質は所定のポストプロセスが適用された後の画質となる。
【０１９６】
第６の出力開始命令がＵＳＢ制御部１０９に送信された場合、ＣＰＵ１１１は、ステップＳ７０８からステップＳ７０４に進む。
【０１９７】
このように、実施形態１によれば、フラット画質モードをＯＮまたはＯＦＦに設定し、ＵＳＢ制御部１０９の表示アシスト機能をＯＮまたはＯＦＦに設定することにより、ユーザは、ＵＳＢ制御部１０９の出力画質を自由に変更することができる。例えば、ＵＳＢ制御部１０９を所定のポストプロセスが適用された後の画質の画像データを出力する外部出力部として選択することができる。これにより、所定のポストプロセスに適したフラットな画質の画像データが生成される場合であっても、当該所定のポストプロセスが適用された後の画質の画像データをＵＳＢ制御部１０９から出力することができる。
【０１９８】
実施形態１には、様々な変更を加えることができる。例えば、動画出力処理Ｄ１における所定の条件Ｊ２を、表示デバイス１０７の表示アシスト機能がＯＮであることに変更してもよい。この場合、動画出力処理Ｄ１における所定の条件Ｊ２は、動画記録処理Ｂ１における所定の条件Ｊ１と同じ条件となる。
【０１９９】
また、動画出力処理Ｄ１における所定の条件Ｊ２を、例えば、ＨＤＭＩ制御部１０８の表示アシスト機能がＯＮであり、ＨＤＭＩ制御部１０８の外部出力サイズが所定の画像サイズ以上であることに変更してもよい。所定の画像サイズは、例えば、「１９２０×１０８０」が考えられるが、これに限るものではない。
【０２００】
また、動画出力処理Ｄ１における所定の条件Ｊ２を、例えば、ＨＤＭＩ制御部１０８の表示アシスト機能がＯＮであり、ＨＤＭＩ制御部１０８の外部出力サイズが動画記録サイズよりも小さいことに変更してもよい。例えば、ＨＤＭＩ制御部１０８の表示アシスト機能がＯＮであり、ＨＤＭＩ制御部１０８の外部出力サイズが「１９２０×１０８０」であり、動画記録サイズが「４０９６×２１６０」である場合、ＣＰＵ１１１は、所定の条件Ｊ２が満たされていると判定する。また、例えば、動画記録サイズとＨＤＭＩ制御部１０８の外部出力サイズとが等しい場合、ＣＰＵ１１１は、所定の条件Ｊ２が満たされていないと判定する。
【０２０１】
また、動画出力処理Ｄ１における所定の条件Ｊ２を、例えば、ＨＤＭＩ制御部１０８の表示アシスト機能がＯＮであり、撮影情報付加機能がＯＮであることに変更してもよい。撮影情報付加機能がＯＮである場合、ＨＤＭＩ制御部１０８は、ＨＤＭＩ制御部１０８から出力される画像データに所定の撮影情報を重畳する。撮影情報付加機能がＯＦＦである場合、ＨＤＭＩ制御部１０８は、ＨＤＭＩ制御部１０８から出力される画像データに所定の撮影情報を重畳しない。
【０２０２】
また、動画出力処理Ｄ１における所定の条件Ｊ２を、様々な条件の中からユーザによって選択された条件にしてもよい。
【０２０３】
また、例えば、動画出力処理Ｄ２における所定の条件Ｊ３を、表示デバイス１０７の表示アシスト機能がＯＮであることに変更してもよい。この場合、動画出力処理Ｄ２における所定の条件Ｊ３は、動画記録処理Ｂ１における所定の条件Ｊ１（ステップＳ４０６参照）と同じ条件となる。
【０２０４】
また、動画出力処理Ｄ２における所定の条件Ｊ３を、例えば、ＵＳＢ制御部１０９の表示アシスト機能がＯＮであり、ＵＳＢ制御部１０９の外部出力サイズが所定の画像サイズ以上であることに変更してもよい。所定の画像サイズは、例えば、「１９２０×１０８０」が考えられるが、これに限るものではない。
【０２０５】
また、動画出力処理Ｄ２における所定の条件Ｊ３を、例えば、ＵＳＢ制御部１０９の表示アシスト機能がＯＮであり、ＵＳＢ制御部１０９の外部出力サイズが動画記録サイズよりも小さいことに変更してもよい。例えば、ＵＳＢ制御部１０９の表示アシスト機能がＯＮであり、ＵＳＢ制御部１０９の外部出力サイズが「１９２０×１０８０」であり、動画記録サイズが「４０９６×２１６０」である場合、ＣＰＵ１１１は、所定の条件Ｊ２が満たされていると判定する。また、例えば、動画記録サイズとＵＳＢ制御部１０９の外部出力サイズとが等しい場合、ＣＰＵ１１１は、所定の条件Ｊ２が満たされていないと判定する。
【０２０６】
また、動画出力処理Ｄ２における所定の条件Ｊ３を、例えば、ＵＳＢ制御部１０９の表示アシスト機能がＯＮであり、撮影情報付加機能がＯＮであることに変更してもよい。撮影情報付加機能がＯＮである場合、ＵＳＢ制御部１０９は、ＵＳＢ制御部１０９から出力される画像データに所定の撮影情報を重畳する。撮影情報付加機能がＯＦＦである場合、ＵＳＢ制御部１０９は、ＵＳＢ制御部１０９から出力される画像データに所定の撮影情報を重畳しない。
【０２０７】
また、動画出力処理Ｄ２における所定の条件Ｊ３を、様々な条件の中からユーザによって選択された条件にしてもよい。
【０２０８】
また、例えば、所定の条件Ｊ３の内容が、所定の条件Ｊ２の内容と同じになるように実施形態１を構成してもよい。また、例えば、所定の条件Ｊ２の内容が上述のように変更された場合に、所定の条件Ｊ３の内容も所定の条件Ｊ２の内容と同じになるように変更されるように実施形態１を構成してもよい。
【０２０９】
また、動画記録処理Ｂ１における所定の条件Ｊ１を、ＨＤＭＩ制御部１０８の表示アシスト機能がＯＮであることに変更してもよい。この場合、動画記録処理Ｂ１における所定の条件Ｊ１は、動画出力処理Ｄ１における所定の条件Ｊ２と同じ条件となる。
【０２１０】
また、動画記録処理Ｂ１における所定の条件Ｊ１を、ＵＳＢ制御部１０９の表示アシスト機能がＯＮであることに変更してもよい。この場合、動画記録処理Ｂ１における所定の条件Ｊ１は、動画出力処理Ｄ２における所定の条件Ｊ３と同じ条件となる。
【０２１１】
また、動画記録処理Ｂ１における所定の条件Ｊ１を、ＨＤＭＩ制御部１０８及びＵＳＢ制御部１０９の表示アシスト機能がいずれもＯＮであることに変更してもよい。
【０２１２】
また、動画記録処理Ｂ１における所定の条件Ｊ１を、様々な条件の中からユーザによって選択された条件にしてもよい。
【０２１３】
また、例えば、所定の条件Ｊ１の内容が、所定の条件Ｊ２の内容と同じになるように実施形態１を変更してもよい。また、例えば、所定の条件Ｊ２の内容が上述のように変更された場合に、所定の条件Ｊ１の内容も所定の条件Ｊ２の内容と同じになるように変更されるように実施形態１を構成してもよい。
【０２１４】
また、例えば、所定の条件Ｊ１の内容が、所定の条件Ｊ３の内容と同じになるように実施形態１を構成してもよい。また、例えば、所定の条件Ｊ３の内容が上述のように変更された場合に、所定の条件Ｊ１の内容も所定の条件Ｊ３の内容と同じになるように変更されるように実施形態１を構成してもよい。
【０２１５】
また、実施形態１では、撮像装置１００がＨＤＭＩ制御部１０８及びＵＳＢ制御部１０９を有する場合を説明したが、撮像装置１００が有する外部出力部はこれらに限るものではない。例えば、ＨＤＭＩ制御部１０８及びＵＳＢ制御部１０９のいずれかを、ＳＤＩ（Ｓｅｒｉａｌ  Ｄｉｇｉｔａｌ  Ｉｎｔｅｒｆａｃｅ）規格、ＤｉｓｐｌａｙＰｏｒｔ規格、Ｔｈｕｎｄｅｒｂｏｌｔ規格の少なくとも一つに準拠した外部出力部に変更してよい。また、例えば、ＨＤＭＩ制御部１０８及びＵＳＢ制御部１０９のいずれかを、有線ＬＡＮ規格、無線ＬＡＮ規格の少なくとも一つに準拠した外部出力部に変更してよい。もちろん、これらの規格以外の規格に準拠した外部出力部を、ＨＤＭＩ制御部１０８及びＵＳＢ制御部１０９のいずれかの代わりに用いてもよい。
【０２１６】
また、実施形態１において、ＨＤＭＩ制御部１０８及びＵＳＢ制御部１０９のいずれかを、アナログビデオ信号を出力する外部出力部に変更してよい。このように変更した場合、スタンダード画質又はフラットな画質の画像データがアナログビデオ信号として出力される。
【０２１７】
また、実施形態１において、撮像装置１００が有する外部出力部の数は、４つに限るものではなく、少なくとも１つあればよい。
【０２１８】
［実施形態２］
実施形態１で説明した様々な機能及び処理は、パーソナルコンピュータ、マイクロコンピュータ、ＣＰＵ（Ｃｅｎｔｒａｌ  Ｐｒｏｃｅｓｓｉｎｇ  Ｕｎｉｔ）などがプログラムを用いて実現することもできる。以下、実施形態２では、パーソナルコンピュータ、マイクロコンピュータ、ＣＰＵなどを「コンピュータＸ」と呼ぶ。また、実施形態２では、コンピュータＸを制御するためのプログラムであって、実施形態１で説明した様々な機能及び処理を実現するためのプログラムを「プログラムＹ」と呼ぶ。
【０２１９】
実施形態１で説明した様々な機能及び処理は、コンピュータＸがプログラムＹを実行することによって実現される。この場合において、プログラムＹは、コンピュータ読み取り可能な記憶媒体を介してコンピュータＸに供給される。実施形態２におけるコンピュータ読み取り可能な記憶媒体は、ハードディスク装置、光ディスク、ＣＤ−ＲＯＭ、ＣＤ−Ｒ、メモリカード、ＲＯＭ、ＲＡＭなどの少なくとも一つを含む。また、実施形態２におけるコンピュータ読み取り可能な記憶媒体は、ｎｏｎ−ｔｒａｎｓｉｔｏｒｙ（非一時的）な記憶媒体である。
【符号の説明】
【０２２０】
１００  撮像装置
１０１  撮像部
１０２  第１の画像処理部
１０３  第２の画像処理部
１０４  画質調整部
１０５  記録制御部
１０５ａ  記憶デバイス
１０６  表示制御部
１０７  表示デバイス
１０８  ＨＤＭＩ制御部
１０８ａ  ＨＤＭＩコネクタ
１０９  ＵＳＢ制御部
１０９ａ  ＵＳＢコネクタ
１１０  メモリ
１１１  ＣＰＵ
１１２  ＵＩ部
１１３  メモリＢ
１１４  内部バス
【図１】
0006012232.tif 000002
【図２】
0006012232.tif 000003
【図３】
0006012232.tif 000004
【図４】
0006012232.tif 000005
【図５】
0006012232.tif 000006
【図６】
0006012232.tif 000007
【図７】
0006012232.tif 000008